(57)【要約】  平面図において内側部分（４）と外側部分（６）とを備えるマットレス（２）であって、このマットレス（２）は、内側部分（４）が少なくとも１人の人間がその上で睡眠するためのサイズであり、かつ、外側部分（６）がこの内側部分（４）の周囲を少なくとも部分的に延び、かつ、内側部分（４）は外側部分（６）よりも低い圧縮率を有し、これによって、内側部分（４）上の人間の体重が、その内側部分（４）が外側部分（６）と同じ圧縮率を有する場合よりも大きな面積にわたって分散させられ、および、これによって、外側部分（６）が内側部分（４）を束縛し、かつ、内側部分（４）上の人間の体重によって生じさせられる内側部分の横方向の膨張を抑制するようなマットレスである。
2008544791.tif 000002
【特許請求の範囲】
【請求項１】
内側部分と外側部分とを備えるマットレスであって、前記内側部分は少なくとも１人の人間がその上で睡眠するためのサイズであり、かつ、前記外側部分は前記内側部分の周囲を少なくとも部分的に延び、および、前記内側部分は前記外側部分よりも低い圧縮率を有し、これによって、前記内側部分上の人間の体重が、前記内側部分が前記外側部分と同じ圧縮率を有する場合よりも大きな面積にわたって分散させられ、および、これによって、前記外側部分が前記内側部分を束縛し、かつ、前記内側部分上の人間の体重によって生じさせられる前記内側部分の横方向の変形を抑制するようなマットレスであるマットレス。
【請求項２】
前記内側部分は睡眠中の人間の形状である請求項１に記載のマットレス。
【請求項３】
前記形状は、１つの睡眠姿勢における睡眠中の人間の形状である請求項２に記載のマットレス。
【請求項４】
前記形状は、２つ以上の睡眠姿勢における睡眠中の人間の形状である請求項２に記載のマットレス。
【請求項５】
前記外側部分は、前記内側部分の脚部部分を除いて前記内側部分の周囲全体にわたって延びる請求項１から４のいずれか一項に記載のマットレス。
【請求項６】
前記内側部分は発泡体材料またはゲルである材料で作られており、かつ、前記外側部分は発泡体材料またはゲルである材料で作られており、かつ、前記内側部分の前記材料は前記外側部分の前記材料よりも柔軟であり、これによって前記内側部分は前記外側部分よりも低い圧縮率を有する請求項１から５のいずれか一項に記載のマットレス。
【請求項７】
前記内側部分は、前記内側部分が前記外側部分よりも低い圧縮率をすることを生じさせる少なくとも１つの穿孔を備えている請求項１から５のいずれか一項に記載のマットレス。
【請求項８】
複数の前記穿孔が存在しており、および、前記穿孔は、前記内側部分が前記外側部分よりも低いばね定数を有することを生じさせるように前記内側部分上に配置されている請求項７に記載のマットレス。
【請求項９】
１つだけの前記穿孔が存在しており、および、前記穿孔は、前記内側部分が前記外側部分よりも低いばね定数を有することを生じさせるために十分な大きさである請求項７に記載のマットレス。
【請求項１０】
前記内側部分は発泡体材料またはゲルである材料で作られており、かつ、前記外側部分は発泡体材料またはゲルである材料で作られている請求項７から９のいずれか一項に記載のマットレス。
【請求項１１】
前記内側部分と前記外側部分の少なくとも一方が、流体を収容しかつ前記内側部分が前記外側部分よりも低い圧縮率を有することを生じさせる少なくとも１つのチャンバを有する請求項１から５のいずれか一項に記載のマットレス。
【請求項１２】
前記流体は気体である請求項１１に記載のマットレス。
【請求項１３】
前記気体は空気である請求項１２に記載のマットレス。
【請求項１４】
前記流体は液体である請求項１１に記載のマットレス。
【請求項１５】
前記液体は水である請求項１４に記載のマットレス。
【請求項１６】
前記流体は容器の中に収容されている請求項１１から１５のいずれか一項に記載のマットレス。
【請求項１７】
前記容器は液密袋である請求項１６に記載のマットレス。
【請求項１８】
頂部被覆層を含み、および、前記頂部被覆層は、前記内側部分と前記外側部分との全体にわたって延びるような被覆層である請求項１から１７のいずれか一項に記載のマットレス。
【請求項１９】
前記頂部被覆は後で発泡体材料で作られている請求項１８に記載のマットレス。
【請求項２０】
前記内側部分はすべて一体状である請求項１から１９のいずれか一項に記載のマットレス。
【発明の詳細な説明】
【技術分野】
【０００１】
本発明はマットレスに関する。
【背景技術】
【０００２】
様々な度合いの固さを有するマットレスが製造されていることが公知である。一般的に、柔らかいか、中間であるか、または、固いマットレスが主として製造されている。典型的には、背中に問題がある人間は固いマットレスを好む。
【発明の開示】
【発明が解決しようとする課題】
【０００３】
本発明の目的は、改良されたマットレスを提供することである。
【課題を解決するための手段】
【０００４】
したがって、本発明の１つの非限定的な実施態様では、平面図において内側部分と外側部分とを備えるマットレスが提供され、このマットレスは、内側部分が少なくとも１人の人間がその上で睡眠するためのサイズであり、かつ、外側部分がこの内側部分の周囲を少なくとも部分的に延び、かつ、内側部分は外側部分よりも低い圧縮率を有し、これによって、内側部分上の人間の体重が、その内側部分が外側部分と同じ圧縮率を有する場合よりも大きな面積にわたって分散させられ、および、これによって、外側部分が内側部分を束縛し、かつ、内側部分上の人間の体重によって生じさせられる内側部分の横方向の変形を抑制するようなマットレスである。
【０００５】
本発明のマットレスは、依然として、柔らかいか、中間か、または、固い形で製造されるだろう。しかし、これに加えて、本発明のマットレスでは、および、固いか、中間か、または、柔らかいという選択された範囲内において、マットレスが、内側部分が外側部分と同じ圧縮率を有する場合よりも大きな面積にわたって人間の体重を内側部分上に分散させることが可能であるという機能を有する。有利であることに、この追加的な機能が、過度の圧力が正常な血液流と神経信号と神経応答とに干渉する可能性がある身体区域上における圧力を減少させる効果を有する。人間の神経系の機能を促進することに加えて、本発明のマットレスは、内側部分によって、人間の血管系上の圧力を低減させることが可能であり、および、特に、静脈還流を促進することが可能である。これは、血管系上の圧力を低減させず、したがって静脈環流を促進しない、通常のベッドとは対照的である。本発明のマットレスによって、神経分布の増大の効果と、静脈環流に対する圧力の減少の効果とが、人間がより快適に横たわることを可能にし、圧力によって生じさせられる血液循環と神経分布との問題を劇的に低減させる可能性を有することを可能にし、および、そうでない場合に比べて、このマットレス上でのより良好な睡眠を行うことを可能にする。本発明のマットレスは、そのマットレス上に横たわっている最中の人間の身体の適正な姿勢形成を可能にするだけでなく、さらには、圧力を低下させることによって、人間の身体組織が最小限の制限だけしか伴わずに活動することが可能であるように人間の身体組織の活動を増強する。したがって、このマットレスは、通常の睡眠姿勢にある最中に快適性と健康増進との両方を実現する。
【０００６】
このマットレスは、内側部分が、睡眠中の人間の形状であるマットレスであるだろう。
【０００７】
この形状は、１つの睡眠姿勢にある睡眠中の人間の形状であるだろう。したがって、この形状は、仰向けまたは俯せに横たわっている人間の形状であるだろう。
【０００８】
あるいは、この形状は、２つ以上の睡眠姿勢にある睡眠中の人間の形状であってもよい。したがって、例えば、この形状は、仰向けまたは俯せに、および、さらには、一方の横腹を下にして体を丸めて、睡眠する人間に対応するように設計されるだろう。
【０００９】
このマットレスは、外側部分が内側部分の脚部部分を除いてその内側部分の周囲全体にわたって延びるマットレスである。あるいは、この外側部分は、内側部分の周囲全体にわたって延びることがある。あるいは、外側部分は、内側部分の脚部部分を含むか含まないことがある指定された１つまたは複数の部分を除いて、その内側部分の周囲全体にわたって延びることがある。
【００１０】
本発明の第１の実施態様では、このマットレスは、発泡体材料またはゲルである材料で内側部分が作られており、かつ、発泡体材料またはゲルである材料で外側部分が作られており、かつ、内側部分の材料は外側部分の材料よりも柔軟であり、これによって内側部分は外側部分よりも低い圧縮率を有するマットレスであるだろう。必要に応じて、他の材料が使用されてもよい。このゲルはシリコーンゲルであってよい。このゲルは感熱性ゲルであってもよい。内側部分と外側部分は、その両方が発泡体材料で作られているか、または、その両方がゲルで作られているか、または、一方の部分が発泡体材料で作られておりかつ他方の部分がゲルで作られているような内側部分と外側部分であるだろう。
【００１１】
本発明の第２の実施態様では、このマットレスは、外側部分よりも低い圧縮率を内側部分が有することを生じさせる少なくとも１つの穴を内側部分が備えているマットレスであってもよい。
【００１２】
本発明の第２の実施態様では、複数の上記穿孔が存在することがあり、これらの穿孔は、内側部分が外側部分よりも低い圧縮率を有することを生じさせるように、内側部分全体にわたって配置されている。あるいは、１つだけの上記穿孔が存在することがあり、この穿孔は、内側部分が外側部分よりも低い圧縮率を有することを生じさせるために十分な大きさである。
【００１３】
本発明のこの第２の実施態様では、内側部分は発泡体材料またはゲルである材料で作られており、かつ、外側部分は発泡体材料またはゲルである材料で作られているだろう。必要に応じて、他の材料が使用されてもよい。このゲルはシリコーンゲルであってよい。このゲルは感熱性ゲルであってもよい。内側部分と外側部分は、その両方が発泡体材料で作られているか、または、その両方がゲルで作られているか、または、一方の部分が発泡体材料で作られておりかつ他方の部分がゲルで作られているような内側部分と外側部分である。
【００１４】
本発明の第３の実施態様では、このマットレスは、内側部分と外側部分の少なくとも一方が、流体を収容しかつ内側部分が外側部分よりも低い圧縮率を有することを生じさせる少なくとも１つのチャンバを有するマットレスだろう。
【００１５】
この流体は気体であるだろう。この気体は空気であることが好ましいが、必要に応じて他の気体が使用されてもよい。あるいは、この流体は液体であってもよい。この液体は水であることが好ましいが、例えば油のような他の液体が使用されてもよい。あるいは、この流体は液体と気体の混合物であってもよい。あるいは、この流体はゲルであってもよい。このゲルはシリコーンゲルであってよい。このゲルは感熱性ゲルであってもよい。
【００１６】
内側部分および／または外側部分が流体を収容する１つまたは複数のチャンバを有する場合には、この流体は、例えば液密袋の形態のような容器の中に収容されているだろう。この液密袋は、ウォーターベッドが現在生産されている密封方法と同じ密封方法で生産されるだろう。
【００１７】
本発明のすべての実施態様において、このマットレスは頂部被覆層を含むことがあり、この頂部被覆層は、内側部分と外側部分との全体にわたって延びるような頂部被覆層である。頂部被覆の効果は、後で、内側部分と外側部分との間の移行箇所において人間の身体に対して差異を均等化することであるだろう。この頂部被覆層は発泡体材料で作られているだろう。例えば上述のゲルのような他の材料が使用されてもよい。
【００１８】
本発明のマットレスは、発泡体材料とゲルと様々な感熱性材料とを含む様々な材料で作られるだろう。例えばゴムとスマート織物（ｓｍａｒｔ  ｆａｂｒｉｃ）として知られている材料とのような他の材料が使用されてもよい。
【００１９】
このマットレスは、内側部分が通常は１人用である１人用マットレスであってもよい。あるいは、このマットレスは２人用のマットレスであってもよい。２人用マットレスの場合には、内側部分は通常は２人の人間のためのものであるだろう。２人の人間のための内側部分がある場合には、この内側部分は、２人用である１つの区域によって形成されてもよく、または、この内側部分は、各々の区域が１人用である２つの区域によって形成されてもよい。内側部分が２つの区域を有する場合には、この２つの区域は、内側部分の低減された厚さによって形成されている部分によって、および／または、その２つの区域の圧縮率よりも高い圧縮率を有する部分によって隔てられてもよい。
【００２０】
本発明のすべての実施態様では、このマットレスは、通常は、内側部分がすべて一体状であるマットレスだろう。しかし、必要に応じて、内側部分は複数の部品の形であってもよい。
【００２１】
以下では、本発明の実施形態を、添付図面を参照しながら単なる具体例の形で説明する。
【発明を実施するための最良の形態】
【００２２】
図１を参照すると、この図には、平面図において内側部分４と外側部分６とを備えるマットレス２が示されている。このマットレス２は、内側部分４が人間が上で睡眠するためのサイズであるようなマットレスである。外側部分６は内側部分４の周囲を部分的に延びる。マットレス２は、内側部分４が外側部分６よりも低い圧縮率を有するようなマットレスであり、これによって内側部分４上の人間の体重が、内側部分４が外側部分６と同じ圧縮率を有する場合よりも大きな面積にわたって分散させられ、および、これによって外側部分６が内側部分４を拘束し、内側部分４上の人間の体重によって生じさせられる内側部分４の横方向の変形を抑制する。
【００２３】
図１から見てとれるように、内側部分４は、仰向けに睡眠する人間の形状である。さらに明確に述べると、この形状は、１つの睡眠姿勢、すなわち、仰向けまたは俯せの睡眠姿勢で睡眠する人間の形状である。本発明の別の実施形態（図示されていない）では、睡眠中の人間の形状が、２つ以上の姿勢、例えば、仰向けであるか、俯せであるか、または、一方の横腹を下にして丸まって横になる姿勢で睡眠している人間であることが可能である。この形状は、図１に示されている形状よりも大きいだろうし、および、この形状は、人間が左横腹を下にしてまたは右横腹を下にして睡眠することを望むということを考慮に入れるだろう。
【００２４】
図１から同様に見てとれるように、外側部分８は、内側部分４の脚部部分１０を除いて内側部分４の周囲全体にわたって延びる。
【００２５】
マットレス２は上述の材料のいずれかによって作られるだろう。したがって、例えば、内側部分４と外側部分６は発泡体材料で作られてもよく、および、内側部分４の発泡体材料は外側部分６の発泡体材料よりも柔軟であり、これによって内側部分４は外側部分６よりも低い圧縮率を有するだろう。
【００２６】
マットレス２は、１人用の形状を画定する内側部分と外側部分とを有する１人用のマットレスである。図２は、内側部分１４と外側部分１６とを有するマットレス１２を示す。このマットレス１２は２人用のマットレスであり、および、内側部分１４は、１人の人間ではなく２人の人間による使用のための形状である。外側部分１６が、２つの脚部部分１８、２０を除いて内側部分４の周囲を延びるということに留意されたい。
【００２７】
図３はマットレス２の縦断面であるが、同様にマットレス４の縦断面でもあるだろう。図３に示されているように、内側部分４はすべて一体状であり、および、胴体部分２２と頭部部分２４とを備える。この胴体部分２２と頭部部分２４は首部部分２６によって隔てられている。首部部分２６は、胴体部分２２と頭部部分２４の深さよりも浅い深さを有する。
【００２８】
図４はマットレス２の横断面であるが、同様にマットレス１２の横断面でもあるだろう。図４に見てとれるように、内側部分４は、外側部分６内のインサートの形状である。図３と図４は、内側部分４がどのように傾斜側部２８と傾斜端部３０とを有するかを図示する。
【００２９】
図５と図６は、マットレス３２が止まり穴３４の形状の複数の穿孔をどのように備えているかを示す。図示されているように、これらの止まり穴３４は互いに深さが異なっている。これらの止まり穴３４はマットレス３２の内側部分内だけに存在してもよく、または、マットレス３２の内側部分と外側部分との両方の中に存在してもよい。この後者の場合には、これらの止まり穴は、一般的に、マットレスの内側部分がその外側部分よりも低い圧縮率を有することを生じさせるために、マットレスの内側部分においてより大きな深さを有するだろう。本発明の別の実施形態（図示されていない）では、互いに同一の深さの止まり穴が使用されてもよく、しかし、この止まり穴は内側部分内だけに存在するか、または、この代わりに、これらの穴が内側部分内と外側部分内とに存在するが、この場合には、内側部分が外側部分よりも低い圧縮率を有することを生じさせるために、外側部分内よりも内側部分内により多くの止まり穴が存在する。
【００３０】
図７は、内側部分３８と外側部分４０とを有するマットレス３６を示す。内側部分３８は、流体を収容する容器の形状であることによって、より低いばね定数を有する。この流体は気体、液体、または、液体と気体の混合物であってよい。
【００３１】
図８は、外側部分４６よりも低い圧縮率を有する内側部分４４を有するマットレス４２を示す。このマットレスは頂部被覆層４８を含む。図示されているように、この頂部被覆層４８は、内側部分４４と外側部分４６との全体にわたって延びる。この頂部被覆層４８は、そうでない場合にはマットレス４２上に横たわる人間にとって過剰に顕著であることがある、内側部分４４と外側部分４６と間の移行箇所における圧力を均等化する働きをする。この頂部被覆層４８は、発泡体材料、または、他の任意の適切で適当な材料で作られているだろう。
【００３２】
図９は、２人用マットレス５０の断面図である。このマットレス５０は内側部分５２と外側部分５４とを有する。内側部分５２は、２人用マットレス５０を通常使用する２人のそれぞれ１人のための２つの区域５６、５８を有する。この２つの区域５６、５８は、内側部分５２の減少された厚さによって形成されている部分６０によって隔てられている。外側部分５４は、厚さが増大している中央部分６２を有し、および、この中央部分６２は、２つの区域５６、５８を隔てることを補助し、かつ、その２つの区域５６、５８の圧縮率よりも高い圧縮率を有する。
【００３３】
図１０は、内側部分６６と外側部分６８とを有する１人用マットレス６４の斜視図である。外側部分６８は、図示されているように内側部分６６の周囲を延びる。内側部分６６は外側部分６８よりも低い圧縮率を有する。内側部分６６のより低い圧縮率は、図示されているように、複数の穿孔７０を有する内側部分６６を形成することによって実現される。
【００３４】
図１１は、マットレス６４上に横たわる人間７２を示す。この人間７２は、俯せまたは仰向けに横たわることと、内側部分６６によって提供される区域内に位置することとが可能であるということが理解されるだろう。
【００３５】
図１２は、内側部分７６と外側部分７８とを有するマットレス７４を示す。この内側部分７６は、外側部分７８よりも低い圧縮率である。内側部分７６と外側部分７８との間の圧縮率の差が、上述の方法のいずれかによって実現されるだろう。マットレス７６内の内側部分７６の形状がマットレス６４内の内側部分６６の形状とは異なっていることが理解されるだろう。
【００３６】
一般的に、これらの図に示されているマットレスは、発泡体材料とゲルと様々な感熱性材料とを含む任意の適切で適当な材料で作られるだろう。内側部分および／または外側部分のために流体が使用される場合には、この流体は、通常は、例えば非浸透性のプラスチック材料のような適切な非浸透性材料を使用して収容されるだろう。
【００３７】
添付図面を参照しながら上述した本発明の実施形態が、単なる例示の形で示されているということと、変更が加えられることが可能であるということが理解されなければならない。したがって、例えば、図示されている内側部分の形状が様々であってよく、および、この形状が単純な長方形であってもよい。図解を容易にするために、図面に示されているマットレスは頂部被覆層なしに示されている。このマットレスは頂部被覆層を含んでもよく、および、この頂部被覆層は、内側部分と外側部分との全体にわたって延びるような被覆層であってもよい。この頂部被覆層は、任意の適切で適当な材料で作られるだろう。マットレス全体が、必要に応じて、適切な織物材料で覆われてもよい。
【図面の簡単な説明】
【００３８】
【図１】図１は、本発明の第１のマットレスの斜視図である。
【図２】図２は、本発明の第２のマットレスの斜視図である。
【図３】図３は、本発明の第３のマットレスの縦断面である。
【図４】図４は、図３に示されているマットレスの胴体部分の横断面である。
【図５】図５は、本発明の別のマットレスの一部分の断面である。
【図６】図６は、図５に示されているマットレスの一部分の平面図である。
【図７】図７は、本発明の別のマットレスの一部分の断面である。
【図８】図８は、本発明の別のマットレスの一部分の断面である。
【図９】図９は、本発明の別のマットレスの断面である。
【図１０】図１０は、本発明の別のマットレスの斜視図である。
【図１１】図１１は、マットレス上に横たわる形で示されている人間を伴う、図１０に示されているマットレスの平面図である。
【図１２】図１２は、本発明の別のマットレスの平面図である。
【図１】
2008544791.tif 000003
【図２】
2008544791.tif 000004
【図３】
2008544791.tif 000005
【図４】
2008544791.tif 000006
【図５】
2008544791.tif 000007
【図６】
2008544791.tif 000008
【図７】
2008544791.tif 000009
【図８】
2008544791.tif 000010
【図９】
2008544791.tif 000011
【図１０】
2008544791.tif 000012
【図１１】
2008544791.tif 000013
【図１２】
2008544791.tif 000014
【国際調査報告】
2008544791.tif 000015
2008544791.tif 000016
2008544791.tif 000017